(57)【要約】【課題】  簡単な操作負担で、既に登録されている元図となる二次元配置図から新たな二次元配置図を自在に効率よく作成することである。【解決手段】  ネットワークに接続される一つあるいは複数のデバイスのアイコンと背景画像とを階層して作成される二次元配置図を二次記憶装置１０６に記憶して管理するネットワーク機器管理装置において、二次記憶装置１０６に記憶されている二次元配置図を読み出してディスプレイ装置１０８に表示した状態で、該表示される前記二次元配置図に対する入力装置１１０による閉じた領域設定状態に基づいて新たな二次元配置図をＣＰＵ１０１が生成する構成を特徴とする。【選択図】  図１
2006259798.tif 000002
【特許請求の範囲】
【請求項１】
ネットワークに接続される一つあるいは複数のデバイスのアイコンと背景画像とを階層して作成される二次元配置図を記憶装置に記憶して管理するネットワーク機器管理装置であって、
前記記憶装置に記憶されている二次元配置図を読み出して表示部に表示する第１の表示制御手段と、
前記表示部に表示される前記二次元配置図に対する閉じた領域設定状態に基づいて新たな二次元配置図を生成する生成手段と、
を備えることを特徴とするネットワーク機器管理装置。
【請求項２】
ネットワークに接続される一つあるいは複数のデバイスを管理するためのネットワーク機器管理装置であって、
記憶装置に登録されている二次元配置図を読み出して表示部に表示する第１の表示制御手段と、
前記表示部に表示される前記二次元配置図に対する閉じた領域設定状態と、該閉じた領域設定される配置図登録名称の入力状態とに基づいて、新たな二次元配置図を生成する生成手段と、
を備えることを特徴とするネットワーク機器管理装置。
【請求項３】
前記生成手段により生成される新たな二次元配置図を前記記憶装置に前記配置図に入力される領域名称で前記記憶装置に登録する登録手段を備えることを特徴とする請求項１記載のネットワーク機器管理装置。
【請求項４】
前記登録手段は、新たな二次元配置図を前記記憶装置に登録する場合、編集元の二次元配置図に新たな二次元配置図へ表示を切り替えるためのリンク情報を付与することを特徴とする請求項１記載のネットワーク機器管理装置。
【請求項５】
前記第１の表示制御手段は、前記二次元配置図に対する領域指示がなされた場合に、前記リンク情報を参照して、配置図の表示内容を切り替え制御することを特徴とする請求項１記載のネットワーク機器管理装置。
【請求項６】
前記登録手段は、入力される領域名称が既登録の領域名称であるか否かに基づいて、新たなリンク情報の生成または既登録の領域名称に対応する二次元配置図へのリンク情報の付与を行うことを特徴とする請求項１記載のネットワーク機器管理装置。
【請求項７】
前記表示部に表示される二次元配置図に描画される背景画像を切り出す領域を設定する領域設定手段と、
前記領域設定手段により設定される領域に対応する背景画像を切り出し、他の二次元配置図に貼り付ける第２の表示制御手段とを有し、
前記生成手段は、前記第２の表示制御手段による背景画像の貼り付けに基づいて、新たな二次元配置図を生成することを特徴とする請求項１または２記載のネットワーク機器管理装置。
【請求項８】
自身が管理しているデバイスを、そのデバイスに保持されている設置場所情報とともに記憶するデバイスリスト記憶手段と、
設定される領域名称と同一の名称が設置場所情報に含まれているデバイスを、前記デバイスリスト記憶手段から検索して、そのデバイスの種別に対応するデバイスアイコンを選択し前記新たな二次元配置図に配置する第３の表示制御手段と、
を備えることを特徴とする請求項１または２記載のネットワーク機器管理装置。
【請求項９】
前記領域設定手段は、前記表示部に表示される二次元配置図に描画される背景画像を切り出す領域を矩形単位に設定することを特徴とする請求項７記載のネットワーク機器管理装置。
【請求項１０】
ネットワークに接続される一つあるいは複数のデバイスのアイコンと背景画像とを階層して作成される二次元配置図を記憶装置に記憶して管理するネットワーク機器管理装置におけるネットワーク機器配置図作成方法であって、
前記記憶装置に記憶されている二次元配置図を読み出して表示部に表示する第１の表示制御ステップと、
前記表示部に表示される前記二次元配置図に対する閉じた領域設定状態に基づいて新たな二次元配置図を生成する生成ステップと、
を備えることを特徴とするネットワーク機器配置図作成方法。
【請求項１１】
ネットワークに接続される一つあるいは複数のデバイスを管理するためのネットワーク機器管理装置におけるネットワーク機器配置図作成方法であって、
記憶装置に登録されている二次元配置図を読み出して表示部に表示する第１の表示制御ステップと、
前記表示部に表示される前記二次元配置図に対する閉じた領域設定状態と、該閉じた領域設定される配置図登録名称の入力状態とに基づいて、新たな二次元配置図を生成する生成ステップと、
を備えることを特徴とするネットワーク機器配置図作成方法。
【請求項１２】
前記生成ステップにより生成される新たな二次元配置図を前記記憶装置に前記配置図に入力される領域名称で前記記憶装置に登録する登録ステップを備えることを特徴とする請求項１０記載のネットワーク機器配置図作成方法。
【請求項１３】
前記登録ステップは、新たな二次元配置図を前記記憶装置に登録する場合、編集元の二次元配置図に新たな二次元配置図へ表示を切り替えるためのリンク情報を付与することを特徴とする請求項１０記載のネットワーク機器配置図作成方法。
【請求項１４】
前記第１の表示制御ステップは、前記二次元配置図に対する領域指示がなされた場合に、前記リンク情報を参照して、配置図の表示内容を切り替え制御することを特徴とする請求項１０記載のネットワーク機器配置図作成方法。
【請求項１５】
前記登録手段は、入力される領域名称が既登録の領域名称であるか否かに基づいて、新たなリンク情報の生成または既登録の領域名称に対応する二次元配置図へのリンク情報の付与を行うことを特徴とする請求項１０記載のネットワーク機器配置図作成方法。
【請求項１６】
前記表示部に表示される二次元配置図に描画される背景画像を切り出す領域を設定する領域設定ステップと、
前記領域設定ステップにより設定される領域に対応する背景画像を切り出し、他の二次元配置図に貼り付ける第２の表示制御ステップとを有し、
前記生成ステップは、前記第２の表示制御手段による背景画像の貼り付けに基づいて、新たな二次元配置図を生成することを特徴とする請求項１０または１１記載のネットワーク機器配置図作成方法。
【請求項１７】
自身が管理するデバイスを、そのデバイスに保持されている設置場所情報とともにデバイスリスト記憶手段に登録する登録ステップと、
設定される領域名称と同一の名称が設置場所情報に含まれているデバイスを、前記デバイスリスト記憶手段から検索して、そのデバイスの種別に対応するデバイスアイコンを選択し前記新たな二次元配置図に配置する第３の表示制御ステップと、
を備えることを特徴とする請求項１０または１１記載のネットワーク機器配置図作成方法。
【請求項１８】
前記領域設定ステップは、前記表示部に表示される二次元配置図に描画される背景画像を切り出す領域を矩形単位に設定することを特徴とする請求項１６記載のネットワーク機器配置図作成方法。
【請求項１９】
請求項１０〜１８のいずれかに記載のネットワーク機器配置図作成方法をコンピュータに実行させるためのプログラムを格納したことを特徴とするコンピュータが読み取り可能な記憶媒体。
【請求項２０】
請求項１０〜１８のいずれかに記載のネットワーク機器配置図作成方法をコンピュータに実行させることを特徴とするプログラム。
【発明の詳細な説明】
【技術分野】
【０００１】
本発明は、ネットワークに接続される一つあるいは複数のデバイスのアイコンと背景画像とを階層して作成される二次元配置図を記憶装置に記憶して管理するネットワーク機器管理装置およびネットワーク機器配置図作成方法およびコンピュータが読み取り可能なプログラムを格納した記憶媒体およびプログラムに関するものである。
【背景技術】
【０００２】
ネットワークに接続される機器を管理する場合に、二次元配置図上に機器を登録配置する機能を備えたものは以前から存在している。そして、二次元配置図を作成する際に、背景画像に対して描画を行って二次元配置図の作成を容易にするものも存在している。
【０００３】
また、そのようにして手動で作成された二次元配置図に対して、名称を設定した上で操作を行うと、その設定された名称に基づいて自動的に管理の対象となる機器を選択して登録配置する機能を備えたものは存在している。
【０００４】
さらに、二次元配置図上に別の二次元配置図を示すアイコンを配置することでリンクを設定し、それをクリックすることで別の二次元配置図へジャンプするような機能を備えたものも存在している。
【特許文献１】特開２００４−３５５５０３号公報
【非特許文献１】キヤノン株式会社  ＮｅｔＳｐｏｔ  Ｃｏｎｓｏｌｅ
【発明の開示】
【発明が解決しようとする課題】
【０００５】
しかしながら、これらの機能を備えたネットワーク機器管理装置においては、二次元配置図をあらかじめ作成しておいた後に、リンクしようとするリンク元の配置図の作成画面へ戻った上でリンクを設定するアイコンの配置を行うという余分な手順が発生する。
【０００６】
また、アイコンによってリンクを行うため、リンク元の配置図の一定領域がリンク先の二次元配置図に対応する場合でも、リンクはアイコンの配置された一点のみから行われることとなり、その二つの配置図の間の関連性をうまく提示できない状況も多々存在する。
【０００７】
また、部分と全体の関係である二つの二次元配置図の間で、すでに一方の二次元配置図上に背景画像をおおまかに作成している状態であるにもかかわらず、他方の二次元配置図を作成する際には別途白紙の状態から背景画像を作成することは大きな手間である。
【０００８】
また、配置図の名称を設定したときにそれを元に自動的に登録する機器を選択して登録配置する機能があっても、二次元配置図の作成はあらかじめ手動で実行しておかなければならないという欠点を持っている。
【０００９】
本発明は、上記の課題を解決するためになされたもので、本発明の目的は、ネットワークに接続される一つあるいは複数のデバイスのアイコンと背景画像とを階層して作成される二次元配置図を記憶装置に記憶して管理するネットワーク機器管理装置において、記憶装置に記憶されている二次元配置図を読み出して表示部に表示した状態で、該表示される前記二次元配置図に対する閉じた領域設定状態に基づいて新たな二次元配置図を生成することにより、簡単な操作負担で、既に登録されている元図となる二次元配置図から新たな二次元配置図を自在に効率よく作成できる利便性に優れたネットワーク機器管理装置およびネットワーク機器配置図作成方法およびコンピュータが読み取り可能なプログラムを格納した記憶媒体およびプログラムを提供することである。
【課題を解決するための手段】
【００１０】
上記目的を達成する本発明のネットワーク機器管理装置は以下に示す構成を備える。
【００１１】
ネットワークに接続される一つあるいは複数のデバイスのアイコンと背景画像とを階層して作成される二次元配置図を記憶装置に記憶して管理するネットワーク機器管理装置であって、前記記憶装置に記憶されている二次元配置図を読み出して表示部に表示する第１の表示制御手段と、前記表示部に表示される前記二次元配置図に対する閉じた領域設定状態に基づいて新たな二次元配置図を生成する生成手段とを備えることを特徴とする。
【００１２】
また、ネットワークに接続される一つあるいは複数のデバイスを管理するためのネットワーク機器管理装置であって、記憶装置に登録されている二次元配置図を読み出して表示部に表示する第１の表示制御手段と、前記表示部に表示される前記二次元配置図に対する閉じた領域設定状態と、該閉じた領域設定される配置図登録名称の入力状態とに基づいて、新たな二次元配置図を生成する生成手段とを備えることを特徴とする。
【００１３】
上記目的を達成する本発明のネットワーク機器配置図作成方法は以下に示す構成を備える。
【００１４】
ネットワークに接続される一つあるいは複数のデバイスのアイコンと背景画像とを階層して作成される二次元配置図を記憶装置に記憶して管理するネットワーク機器管理装置におけるネットワーク機器配置図作成方法であって、前記記憶装置に記憶されている二次元配置図を読み出して表示部に表示する第１の表示制御ステップと、前記表示部に表示される前記二次元配置図に対する閉じた領域設定状態に基づいて新たな二次元配置図を生成する生成ステップとを備えることを特徴とする。
【００１５】
また、ネットワークに接続される一つあるいは複数のデバイスを管理するためのネットワーク機器管理装置におけるネットワーク機器配置図作成方法であって、記憶装置に登録されている二次元配置図を読み出して表示部に表示する第１の表示制御ステップと、前記表示部に表示される前記二次元配置図に対する閉じた領域設定状態と、該閉じた領域設定される配置図登録名称の入力状態とに基づいて、新たな二次元配置図を生成する生成ステップとを備えることを特徴とする。
【発明の効果】
【００１６】
本発明によれば、簡単な操作負担で、既に登録されている元図となる二次元配置図から新たな二次元配置図を自在に効率よく作成できる。
【００１７】
また、ネットワーク機器の管理を行う管理装置において二次元配置図を利用した機器管理を行う場合に、通常は大きな手間のかかる二次元配置図の作成が容易になり、なおかつ、「全体」の二次元配置図と「部分」の二次元配置図の関係や内容の関連性を容易に管理することが可能となる。
【００１８】
これによってネットワーク機器管理の手間を大幅に省くことが可能となり、管理効率の向上を実現することが可能となる。
【発明を実施するための最良の形態】
【００１９】
次に本発明を実施するための最良の形態について図面を参照して説明する。
【００２０】
＜システム構成の説明＞
〔第１実施形態〕
図１は、本発明の第１実施形態を示すネットワーク機器管理装置の構成を説明するブロック図である。
【００２１】
図１において、１０１は中央処理装置（ＣＰＵ）で、システムバス１０２に接続される他の構成要素（各種のデバイス）を総括的に制御する。１０３は読み出し専用メモリ（ＲＯＭ）であり、１０４は読み書き可能メモリ（ＲＡＭ）である。
【００２２】
１０５は二次記憶装置インタフェースで、二次記憶装置１０６とシステムバス１０２を接続する。１０７はディスプレイインタフェースで、システムバス１０２とディスプレイ装置を接続する。１０８はディスプレイ装置で、ディスプレイインタフェース１０７を通じてシステムバス１０２と接続される。１０９は入力装置インタフェースで、システムバス１０２と入力装置を接続する。
【００２３】
１１０はキーボード、ポインティングデバイス等を含む入力装置で、入力装置インタフェース１０９を通じてシステムバス１０２と接続される。１１１はネットワークインタフェースで、システムバス１０２とネットワークを接続する。１１２はネットワークで、ネットワークインタフェース１１１を通じてシステムバス１０２と接続される。
【００２４】
なお、本装置に後述の処理を実行させるための動作手順を記述したプログラムはＲＯＭ１０３および二次記憶装置１０６、あるいはネットワーク１１２を通じて供給されており、必要に応じてＲＡＭ１０４上に展開されてＣＰＵ１０１によって利用されるものである。
【００２５】
また、本装置が使用するプログラムを外部から供給する際には、二次記憶装置１０６を複数系統接続し、それらの間で必要なプログラム、データを読み出し、あるいは書き込み、あるいは転送して行うことが可能である。
【００２６】
後述の処理の説明においては、特に断りのない限り本装置における処理の実行の主体はＣＰＵ１０１となる。そのようなプログラムは全体で単一のプログラムとして動作するものであっても構わないし、複数のプログラムが共同して動作する結果として実現するものであっても構わないが、いちいち断らない。
【００２７】
図２は、図１に示したディスプレイ装置１０８に表示される二次元配置図作成編集画面の一例を示す図である。
【００２８】
図２において、２０１は二次元配置図に付与される名称表示で、フィールド名表示２０１に管理者が所望のフィールド名を入力部２０２に入力装置１１０により編集入力する。
【００２９】
２０３は保存終了ボタンで、この画面において作成または編集した二次元配置図を保存して作成編集作業を終了する際に、入力装置１１０を介して指示される。２０４はキャンセル終了ボタンで、この画面において作成または編集した二次元配置図を破棄して作成編集作業を終了する際に入力装置１１０を介して指示される。
【００３０】
２０５はデバイス設置ボタンで、作成または編集中の二次元配置図上にデバイスを登録配置する操作を指示する際に押下される。２０６は背景画像設定ボタンで、作成または編集中の二次元配置図の背景画像を設定する際に指示される。
【００３１】
２０７はデバイス自動登録ボタンで、二次元配置図の名称として入力フィールド２０２に設定されている名称を使って登録配置するデバイスを自動的に選択し、実際に登録配置を行う際に指示される。
【００３２】
２０８は副配置図領域指定ボタンで、二次元配置図上に領域を指定することで、その領域に関連する別の二次元配置図を作成する操作を指示する際に押下される。２０９は作成編集領域で、この画面で作成または編集される対象となる二次元配置図のデータを表示させて、作成編集することができる。
【００３３】
図３は、本発明に係るネットワーク機器管理装置において内部的に保持している二次元配置図データのレイヤ構造の例を説明する図である。なお、二次元配置図データは、例えば図１に示した二次記憶装置１０６に記憶される。
【００３４】
図３において、３０１はアイコンレイヤで、プリンタ等のデバイスそのものの位置と、デバイスの詳細情報の表示画面への表示切り替えに対応するリンク機能を示すデバイスのアイコンが配置されている。なお、デバイスは、プリンタに限らず、複合機、スキャナ装置、ファクシミ装置、その他のネットワーク対応機器であれば、これらに限定されるものではない。
【００３５】
３０２は背景画像レイヤで、デバイスの配置を表示する際に必要となるフロアプランなどの付随情報を画像データとして表現した背景画像が指定されている。また、副配置図領域のデータは、アイコンレイヤにアイコンの配置情報などといっしょに格納されている。
【００３６】
図４は、本発明に係るネットワーク機器管理装置における領域設定処理状態を説明する図であり、図１に示したシステム上で作成された二次元配置図の例と、その上で指定された「副配置図領域」の例との対応を示している。
【００３７】
図４において、４０１は二次元配置図である。４０２、４０３はデバイスアイコン（例えばプリンタ）で、二次元配置図４０１上に登録配置された状態である。４０４は指定される副配置図領域で、図形として指定される。
【００３８】
このように副配置図領域４０４は、全体として閉じた二次元図形になっていれば、特にその形状は問われないものとする。
【００３９】
ユーザが図２に示した二次元配置図作成編集画面において、副配置図領域指定ボタン２０８を押下し、図４に示すように副配置図領域４０４を指定すると、自動的に新たな二次元配置図をＣＰＵ１０１が作成して、二次記憶装置１０６上に登録する。
【００４０】
また、ＣＰＵ１０１は、現在作成編集中の二次元配置図４０１の副配置図領域４０４に対しては、今作成された新たな二次元配置図に対するリンクが設定され、二次元配置図表示画面において、副配置図領域４０４を選択すると、二次元配置図の表示が当該配置図からいま作成された新たな二次元配置図へ切り替わる（ジャンプ）という動作が行われる。
【００４１】
図５は、本発明に係るネットワーク機器管理装置における第１のデータ処理手順の一例を示すフローチャートであり、二次元配置図編集処理手順に対応する。なお、Ｓ５０１〜Ｓ５１２は各ステップを示し、各ステップは、ＣＰＵ１０１が二次記憶装置１０６に記憶される制御プログラムをＲＡＭ１０４上にロードして実行することにより実現される。
【００４２】
まず、ステップＳ５０１で、処理を開始すると、ステップＳ５０２で、ディスプレイ装置１０８上にＣＰＵ１０１の制御で背景画像を二次記憶装置１０６より読み込み背景画像レイヤ３０２に表示する。続く、ステップＳ５０３で、例えば二次記憶装置１０６よりアイコンデータを読み込み、それに従ってアイコンをアイコンレイヤ３０１に配置してＣＰＵ１０１の制御で表示する。
【００４３】
続く、ステップＳ５０４で、入力装置１１０の操作により、副配置図領域が設定されているかどうかをＣＰＵ１０１がチェックし、設定されていると判断した場合は、ステップＳ５０５へ進み、領域データを読み込んで、ステップＳ５０６へ進み、副配置図領域が設定されていないと判断した場合にはそのままステップＳ５０５へ進む。
【００４４】
そして、ステップＳ５０６では、ユーザが入力装置１１０を介して操作が入力されたかどうかをＣＰＵ１０１がチェックし、入力がないと判断した場合には、再びステップＳ５０６を繰り返す。
【００４５】
一方、ステップＳ５０６で、操作入力があると判断した場合には、ステップＳ５０７で、ユーザ操作の内容が「表示終了」の操作指示であるかどうかをＣＰＵ１０１がチェックして、ユーザ操作の内容が「表示終了」の操作指示であると判断した場合には、ステップＳ５１２へ進み、本処理を終了する。
【００４６】
一方、ステップＳ５０７で、ユーザによる操作の内容が「表示終了」の操作指示でないと判断した場合は、ステップＳ５０８で、ユーザによる操作の内容がデバイスアイコンをクリックする操作であるかどうかをＣＰＵ１０１がチェックして、もしデバイスアイコンをクリックする操作であると判断した場合は、ステップＳ５１１へ進み、デバイスアイコンをクリックする操作でないと判断した場合は、ステップＳ５０９へ進み、ユーザによる操作の内容が副配置図領域上のクリックであるかどうかをＣＰＵ１０１が判断して、副配置図領域上のクリックであると判断した場合は、ステップＳ５１０へ進み、副配置図領域上のクリックでないと判断した場合にはステップＳ５０６へ戻って処理を続行する。
【００４７】
一方、ステップＳ５０９で、ユーザによる操作が副配置図領域上でのクリックであると判断した場合には、ステップＳ５１０へ進み、ディスプレイ装置１０８に表示される作成編集画面上で当該副配置図領域を設定した時に新たに作成された二次元配置図へ表示を切り替える操作を行い、ステップＳ５１２へ進んで、本処理を終了する。
【００４８】
一方、ステップＳ５０８で、ユーザによる操作の内容がデバイスアイコン上でのクリックであると判断した場合は、ステップＳ５１１へ進み、ディスプレイ装置１０８に表示される画面をデバイスの詳細情報の表示画面へＣＰＵ１０１の制御により表示を切り替え、ステップＳ５１２へ進んで、本処理を終了する。これにより、一連の二次元配置図の表示処理が終了する。
【００４９】
本実施形態によれば、二次元配置図に対して閉じた二次元図形による領域を、副配置図領域として設定することができ、設定を行うと自動的にそのリンク先としての二次元配置図が生成される。
【００５０】
これによって、最初の二次元配置図を表示画面にて表示し（この状態では、二次元図形による領域は表示されない）、設定された副配置図領域をユーザが入力装置１１０を操作してクリックする操作を行うと、ＣＰＵ１０１が自動的に生成された二次元配置図（図４に示す二次元配置図）へ画面を切り替えるという動作が可能になる。これは、「全体」の二次元配置図を作成した上で、「部分」の二次元配置図を作成していくという作業を容易にするという効果をもつ。
【００５１】
〔第２実施形態〕
次に、本発明の第２実施形態について説明を行う。本実施形態のネットワーク機器管理装置の構成は図１で提示したものと同一である。また、ネットワーク機器管理装置の二次元配置図作成編集画面の構成例は図２で提示したものと同一である。さらに、ネットワーク機器管理装置が内部的に使用している二次元配置図のレイヤ構造の構成例は図３で示したものと同一である。
【００５２】
また、ネットワーク機器管理装置二次元配置図に副配置図領域が設定された状態を表す図の例は図４に提示したものと同一である。さらに、本実施形態における二次元配置図表示画面における処理の手順の構成例は図５で示したフローチャートと同一である。
【００５３】
図６は、本発明の第２実施形態を示すネットワーク機器管理装置における二次元配置図作成編集画面の一例を示す図であり、図１に示したＣＰＵ１０１の制御でディスプレイ装置１０８に表示される副配置図領域を設定したときに開かれる副配置図領域名称設定ダイアログの画面に対応する。
【００５４】
図６において、６０１は副配置図領域の名称を入力編集するための入力フィールドであり、６０２は入力した名称を設定し副配置図領域の設定を完了させるための実行ボタンであり、６０３は入力した名称を破棄し、指定された領域を副配置図領域として設定する操作をキャンセルして終了させるためのキャンセルボタンである。
【００５５】
図７は、本発明に係るネットワーク機器管理装置における第２のデータ処理手順の一例を示すフローチャートであり、二次元配置図作成編集画面における副配置図領域設定モードの処理手順に対応する。なお、Ｓ７０１〜Ｓ７１６は各ステップを示し、各ステップは、ＣＰＵ１０１が二次記憶装置１０６に記憶される制御プログラムをＲＡＭ１０４上にロードして実行することにより実現される。
【００５６】
また、本処理は、本実施形態において「副配置図領域設定」モードボタン２０８を入力装置１１０の操作により押下し、二次元配置図上に副配置図領域を指定するための閉じた二次元図形４０４を設定した後に実行されるものである。
【００５７】
さらに、本実施形態においては、図２に示した二次元配置図作成編集画面中の副配置図領域を設定すると、まず、図６に示す副配置図領域名称の設定のダイアログ（図６）がＣＰＵ１０１の制御でディスプレイ装置１０８上に表示される。ここで、入力フィールド６０１に名称を入力した後、実行ボタン６０２を押下すると、設定された副配置図領域に対応する新たな二次元配置図がＣＰＵ１０１の制御で生成され、その二次元配置図名称に、今設定された副配置図領域の名称がそのまま設定される。
【００５８】
また、入力された二次元配置図名称が、既存の二次元配置図のものと一致する場合には新たな二次元配置図は生成されず、リンク先として、その名称をもった二次元配置図が設定される。
【００５９】
先ず、ステップＳ７０１にて処理を開始すると、続く、ステップＳ７０２で、まず、図６に示す副配置図領域の名称設定ダイアログをＣＰＵ１０１の制御でディスプレイ装置１０８に表示する。そして、ステップＳ７０３で、ユーザが「実行」ボタン６０２を押したかどうかをＣＰＵ１０１が判断して、押下していると判断した場合は、ステップＳ７０７へ進み、押下されていないと判断した場合は、ステップＳ７０４へ進み、ユーザが「キャンセル」ボタン６０３を押下しているかどうかをＣＰＵ１０１が判断して、押下していないと判断した場合は、ステップＳ７０３へ戻って続行される。
【００６０】
一方、ステップＳ７０４で、ユーザが「キャンセル」ボタン６０３を押下していると判断した場合は、ステップＳ７０５へ進み、ステップＳ７０１でディスプレイ装置１０８に表示した副配置図領域の名称設定ダイアログを閉じ、続くステップＳ７０６で、設定されていた副配置図領域のデータを破棄し、副配置図領域設定モードの処理を終了して、ステップＳ７１６へ進み、本処理を終了する。
【００６１】
一方、ステップＳ７０３で、ユーザが「実行」ボタン６０２を押下したと判断した場合は、ステップＳ７０７で、まず、ステップＳ７０２で、ディスプレイ装置１０６に表示した副配置図領域の名称設定ダイアログをＣＰＵ１０１の制御で閉じる。そして、続くステップＳ７０８では、現在存在する二次元配置図のリストのうち、最初のエントリである二次元配置図に着目する。
【００６２】
そして、ステップＳ７０９にて、副配置図領域の名称設定ダイアログにて入力された副配置図領域の名称と、現在着目している二次元配置図の名称とが一致するかどうかをＣＰＵ１０１が判断して、一致していると判断した場合にはステップＳ７１５へ進み、一致していないと判断した場合は、ステップＳ７１０へ進む。
【００６３】
そして、ステップＳ７１０で、現在着目しているのが二次元配置図のリストの最後のエントリであるかどうかをＣＰＵ１０１が判断して、もしも最後のエントリであると判断した場合は、ステップＳ７１２へ進み、最後のエントリではないと判断した場合は、ステップＳ７１１へ進み、二次元配置図のリストの次のエントリに着目して、ステップＳ７０９から処理を続行する。
【００６４】
一方、ステップＳ７１０にて着目しているエントリが最後のエントリであると判断した場合は、ステップＳ７１２へ進み、ここで新規の二次元配置図を自動的に作成する。
【００６５】
続く、ステップＳ７１３で、ステップＳ７１２で作成した二次元配置図に付与する名称に、図６に示しステップ副配置図領域の名称設定ダイアログで設定された名称を複製して設定する。そして、続く、ステップＳ７１４にて、現在設定中の二次元配置図の副配置図領域に対するリンク先として、ステップＳ７１２で作成した新規の二次元配置図を設定して、ステップＳ７１６へ進み、本処理を終了する。
【００６６】
一方、ステップＳ７０９にて、副配置図領域の名称設定ダイアログ（図６）にて設定されていた名称と、現在着目している二次元配置図の名称が一致していると判断した場合は、ステップＳ７１５へ進み、現在設定中の副配置図領域の二次元配置図の副配置図領域に対するリンク先としてこの現在着目している二次元配置図を設定して、ステップＳ７１６へ進む。
【００６７】
一方、ステップＳ７０６にて副配置図領域設定モードを終了した後、あるいはステップＳ７１４にて新規に作成した二次元配置図を副配置図領域のリンク先と設定した後、またステップＳ７１５にて副配置図領域のリンク先として名称の一致した既存の二次元配置図を設定した後、処理はステップＳ７１６へ進み、そのまま、本処理終了する。
【００６８】
本実施形態によれば、二次元配置図の作成編集画面上で副配置図領域を設定するときに、副配置図領域に対して名称を設定することが可能になり、その設定される名称と合致する名称を持つ二次元配置図がすでに存在する場合には自動的にそちらへリンクされ、また合致する名称をもつ二次元配置図が存在しない場合には自動的に新規の二次元配置図が作成されてそちらへリンクされる、という機能が実現される。
【００６９】
これによって「全体」の二次元配置図を作成する際に「部分」の二次元配置図がすでに存在するかどうかを気にすることなく、「部分」を指す副配置図領域を設定することが可能となり、さらにその領域と合致する二次元配置図がすでに存在している場合にはそちらとリンクされ、存在していない場合には新規の「部分」の二次元配置図を生成されリンクされる。
【００７０】
従って、「部分」を副配置図領域として設定すると必ずそれに対応する二次元配置図が存在するということになり、複雑な「全体」と「部分」の関係をもつ二次元配置図群を作成する際に非常に作業が容易になるという利点を持つ。
【００７１】
〔第３実施形態〕
次に、本発明の第３実施形態について説明する。本発明の第３実施形態の管理装置の構成例は図１に掲げたものと同一である。また、本実施形態の二次元配置図作成編集画面の構成例は図２に示したものと同一である。
【００７２】
さらに、本実施形態が使用する二次元配置図データの構成は、図３で示したものと同一である。また、本実施形態で用いられた二次元配置図データと副配置図領域データの例は図４に示したものと同一であるとする。さらに、本実施形態における、二次元配置図表示画面の処理の手順の構成例は、図５で示したフローチャートと同一である。
【００７３】
なお、本実施形態における副配置図領域の名称を設定するためのダイアログボックスの画面構成例は図６に示したものと同様である。
【００７４】
図８は、本発明に係るネットワーク機器管理装置における第３のデータ処理手順の一例を示すフローチャートであり、二次元配置図作成編集画面における副配置図領域設定モードの処理手順に対応する。なお、Ｓ８０１〜Ｓ８２２は各ステップを示し、各ステップは、ＣＰＵ１０１が二次記憶装置１０６に記憶される制御プログラムをＲＡＭ１０４上にロードして実行することにより実現される。
【００７５】
また、本処理は、本実施形態において「副配置図領域設定」モードボタン２０８を押下し、二次元配置図上に副配置図領域を指定するための閉じた二次元図形４０４を設定した後に実行されるものである。
【００７６】
さらに、本実施形態においては、二次元配置図作成編集画面（図２）において副配置図領域を設定すると、まず副配置図領域名称の設定のダイアログ（図６）がディスプレイ装置１０８上に表示される。
【００７７】
ここで、入力フィールド６０１に名称を入力して実行ボタン６０２を押下すると、設定された副配置図領域に対応する新たな二次元配置図が生成され、その二次元配置図名称に、今設定された副配置図領域の名称がそのまま設定されたのち、デバイス一覧からその名称に合致するデバイスが選択され生成された二次元配置図上に自動的に登録配置される。
【００７８】
そして、二次元配置図名称が、既存の二次元配置図のものと一致する場合には新たな二次元配置図は生成されず、リンク先として、その名称をもった二次元配置図が設定される。
【００７９】
先ず、ステップＳ８０１で処理を開始すると、ステップＳ８０２で、副配置図領域の名称設定ダイアログ（図６）をＣＰＵ１０１の制御でディスプレイ装置１０８上に表示する。続く、ステップＳ８０３で、ユーザが「実行」ボタン６０２を押下したかどうかをＣＰＵ１０１が判断して、もしも押下されていると判断した場合は、ステップＳ８０７へ進み、押下されていないと判断した場合は、続くステップＳ８０４に進み、ユーザが「キャンセル」ボタン６０３を押したかどうかをＣＰＵ１０１が判断し、もしも押下されていると判断した場合は、ステップＳ８０５へ進み、押下されていないと判断した場合は、ステップＳ８０３へ戻って処理を続行する。
【００８０】
そして、ステップＳ８０５で、副配置図領域の名称設定ダイアログ（図６）をＣＰＵ１０１の制御で閉じる。そして、ステップＳ８０６で、設定されていた副配置図領域のデータを破棄して副配置図領域設定モードを終了して、ステップＳ８２２へ進み、本処理を終了する。
【００８１】
一方、ステップＳ８０３で、ユーザが「実行」ボタン６０２を押下していると判断した場合は、ステップＳ８０７へ進み、副配置図領域の名称設定ダイアログ（図６）をＣＰＵ１０１の制御で閉じる。そして、ステップＳ８０８で、現在存在する二次元配置図のリストの最初のエントリに着目する。
【００８２】
次に、ステップＳ８０９へ進み、副配置図領域の名称として設定されている文字列と現在着目している二次元配置図の名称が一致しているかどうかをＣＰＵ１０１が判断し、一致していると判断した場合には、ステップＳ８１２へ進み、一致していないと判断した場合には、ステップＳ８１０へ進む。
【００８３】
そして、ステップＳ８１０で、現在着目している二次元配置図は二次元配置図リストの最後のエントリであるかどうかをＣＰＵ１０１が判断して、最後のエントリであると判断した場合は、ステップＳ８１３へ進み、最後のエントリでないと判断した場合は、ステップＳ８１１へ進み、二次元配置図のリストの次のエントリに着目して、ステップＳ８０９へ戻って処理を続行する。
【００８４】
一方、ステップＳ８０９で、副配置図領域の名称として設定されている文字列と現在着目している二次元配置図の名称が一致していると判断した場合、ステップＳ８１２へ進み、設定された副配置図領域のリンク先として、現在着目している二次元配置図を設定し、ステップＳ８２２へ進み、本処理を終了する。
【００８５】
一方、ステップＳ８１０で、現在着目している二次元配置図がリストの最後のエントリであると判断した場合は、ステップＳ８１３へ進み、新規の二次元配置図を作成する。続く、ステップＳ８１４で、今作成した二次元配置図の配置図名称に、先ほど副配置図領域名称として設定されていた名称を設定する。
【００８６】
そして、ステップＳ８１５で、デバイスリストが二次記憶装置１０６に存在するかどうかをＣＰＵ１０１が判断して、存在しないと判断した場合には、ステップＳ８２１へ進み、デバイスリストが存在すると判断した場合は、続くステップＳ８１６へ進む。デバイスリストはＲＡＭ１０４または二次記憶装置１０６上に保持されている本実施形態が管理対象として認識するネットワーク上のデバイスのリストであり、そのリストの各エントリであるデバイスに対して、そのデバイスの種別を判定するための情報と、デバイスから取得したデバイスの保持している「設置場所」データが付随して格納されている。ステップＳ８１６では、まず、デバイスリストの最初のエントリに着目する。
【００８７】
そして、ステップＳ８１７で、着目しているデバイスの「設置場所」データに、副配置図領域名称として設定されている文字列が含まれているかどうかをＣＰＵ１０１が判断して、文字列が含まれていると判断した場合にはステップＳ８１８に進み、作成された二次元配置図に、現在着目しているデバイスのアイコンを登録配置し、ステップＳ８１９へ進む。
【００８８】
一方、ステップＳ８１７で、文字列が含まれていなかったとＣＰＵ１０１が判断した場合には、そのままステップＳ８１９へ進み、現在着目しているデバイスはデバイスリストの最後のエントリであるかどうかをＣＰＵ１０１が判断して、最後のエントリであると判断した場合は、ステップＳ８２１へ進み、最後のエントリでないと判断した場合は、ステップＳ８２０へ進み、デバイスリストの次のエントリに着目し、ステップＳ８１７へ戻って処理を続行する。
【００８９】
一方、ステップＳ８１９で、デバイスリストの最後のエントリであると判断した場合は、ステップＳ８２１へ進み、作成した二次元配置図を副配置図領域のリンク先として設定して、ステップＳ８２２へ進み、本処理を終了する。
【００９０】
一方、ステップＳ８０６にて副配置図領域設定モードを終了した後、あるいはステップＳ８１２にて副配置図領域のリンク先として既存の二次元配置図を設定した後、ステップＳ８２１にて新規に作成した二次元配置図を服は一途領域のリンク先として設定した後、処理はステップＳ８２２へ進み、そのまま本処理を終了する。
【００９１】
本実施形態によれば、二次元配置図の作成編集画面上で副配置図領域を設定するときに、副配置図領域に対して名称を設定することが可能になり、その設定される名称と合致する名称を持つ二次元配置図がすでに存在する場合には自動的にそちらへリンクされ、また合致する名称をもつ二次元配置図が存在しない場合には自動的に新規の二次元配置図が作成されてそちらへリンクされる、という機能が実現される。
【００９２】
これによって「全体」の二次元配置図を作成する際に「部分」の二次元配置図がすでに存在するかどうかを気にすることなく、「部分」を指す副配置図領域を設定することが可能となり、さらにその領域と合致する二次元配置図がすでに存在している場合にはそちらとリンクされ、存在していない場合には新規の「部分」の二次元配置図を生成されリンクされる。
【００９３】
従って、「部分」を副配置図領域として設定すると必ずそれに対応する二次元配置図が存在するということになる。
【００９４】
さらに、本実施形態では、「部分」の二次元配置図を新たに作成する場合には、二次元配置図名称に使用される、副配置図領域に付与された名称の文字列を基に、デバイスリストの中から「設置場所」データにその文字列が含まれるデバイスを選び出して二次元配置図上に自動的にデバイスアイコンとして登録配置するという処理を備えているため、「部分」の二次元配置図に登録配置されるべきである推定されるデバイスのアイコンはあらかじめ配置されており、あらためて手動で配置する必要がないという利点を持つ。
【００９５】
本実施形態によれば、これらの処理を備えることで複雑な「全体」と「部分」の関係をもつ二次元配置図群を作成する際に非常に作業が容易になる。
【００９６】
〔第４実施形態〕
次に本発明の第４実施形態について説明する。本発明の第４実施形態の管理装置の構成例は図１に掲げたものと同一である。また、本実施形態の二次元配置図作成編集画面の構成例は図２に示したものと同一である。さらに、本実施形態が使用する二次元配置図データの構成は図３で示したものと同一である。
【００９７】
また、本実施形態で用いられた二次元配置図データと副配置図領域データの例は図４に示したものと同一であるとする。本実施形態における、二次元配置図表示画面の処理の手順の構成例は図５で示したフローチャートと同一である。
【００９８】
本実施形態では、副配置図領域を指定した際に新規に二次元配置図が自動的に作成されるが、このときにもとの二次元配置図の背景画像のデータのうち副配置図領域として指定された部分が流用されて新規に作成される二次元配置図の背景画像として使用されるようになっている。
【００９９】
図９は、本発明の第４実施形態を示すネットワーク機器管理装置における二次元配置図作成編集画面の一例を示す図であり、図１に示したＣＰＵ１０１の制御でディスプレイ装置１０８に表示される副配置図領域を設定したときに新たに生成される二次元配置図データに対応する。
【０１００】
図９において、本実施形態では、図４において設定された副配置図領域４０４を包含するような矩形が設定され、その中に設定された副配置図領域の外郭および内部の図形がそのまま複製された形になる。
【０１０１】
本実施形態によれば、「全体」の二次元配置図を作成して、そこから副配置図領域を指定することで「部分」の二次元配置図を自動的に生成する際に、背景画像を「全体」の二次元配置図から流用することで生成された後の「部分」の二次元配置図の利用価値を高めることが期待できる。
【０１０２】
〔第５実施形態〕
次に、本発明の第５実施形態について説明する。本発明の第５実施形態の管理装置の構成例は図１に掲げたものと同一である。また、本実施形態の二次元配置図作成編集画面の構成例は図２に示したものと同一である。
【０１０３】
さらに、本実施形態が使用する二次元配置図データの構成は図３で示したものと同一である。また、本実施形態で用いられた二次元配置図データと副配置図領域データの例は図４に示したものと同一であるとする。さらに、本実施形態における、二次元配置図表示画面の処理の手順の構成例は図５で示したフローチャートと同一である。
【０１０４】
本実施形態では、副配置図領域を指定した際に新規に二次元配置図が自動的に作成されるが、このときに元の二次元配置図の背景画像のデータのうち副配置図領域として指定された部分が流用されて新規に作成される二次元配置図の背景画像として使用されるようになっており、なおかつ、副配置図領域を包含するような矩形の内部にもとの二次元配置図上でデバイスアイコンが登録配置されていた場合に、そのデバイスアイコンが新規に作成される二次元配置図上にも登録配置されるようになっている。
【０１０５】
図１０、図１１は、本発明の第５実施形態を示すネットワーク機器管理装置における二次元配置図作成編集画面の一例を示す図であり、図１に示したＣＰＵ１０１の制御でディスプレイ装置１０８に表示される二次元配置図データと副配置図領域データの指定の例に対応する。
【０１０６】
図１０において、１００１は二次元配置図である。１００２、１００３、１００５はデバイスアイコンで、二次元配置図１００１上に登録配置された状態に対応する。１００４は副配置図領域として指定された図形である。この例から新たに作成される二次元配置図データの例を図１１に示す。
【０１０７】
図１０に示す副配置図領域１００４を包含する矩形が設定され新たに作成される二次元配置図（図１１）に反映されるが、この際に、この矩形１１０１Ａ内に存在するデバイスアイコン１００５は、新たに作成された二次元配置図（図１１）においても同じ位置にデバイスアイコン１１０１として登録配置される。これは２つの二次元配置図の間の相互の関係をユーザが容易に理解できるようになるという効果を持つ。
【０１０８】
本実施形態によれば、「全体」の二次元配置図を作成してそこから副配置図領域を指定することで「部分」の二次元配置図を自動的に生成する際に、背景画像を「全体」の二次元配置図から流用することで生成された後の「部分」の二次元配置図の利用価値を高めることが期待できる。
【０１０９】
〔第６実施形態〕
次に本発明の第６実施形態について説明を行う。本実施形態のネットワーク機器管理装置の構成は図１で提示したものと同一である。また、本管理装置の二次元配置図作成編集画面の構成例は図２で提示したものと同一である。本管理装置が内部的に使用している二次元配置図のレイヤ構造の構成例は図３で示したものと同一である。本発明で二次元配置図に副配置図領域が設定された状態を表す図の例は図４に提示したものと同一である。さらに、本実施例における二次元配置図表示画面における処理の手順の構成例は図５で示したフローチャートと同一である。
【０１１０】
本実施形態において二次元配置図作成編集画面（図２）において副配置図領域を設定したときに開かれる副配置図領域名称設定ダイアログの画面構成例は図６で示したものと同一である。
【０１１１】
本実施形態では、副配置図領域を指定した際に副配置図領域の名称を設定し、設定された名称と一致する二次元配置図がすでに存在する場合にはその二次元配置図に対してリンクが張られるように動作する。設定された名称と一致する二次元配置図が存在しない場合には、新規に二次元配置図が自動的に作成される。この新規に作成される場合には、もとの二次元配置図の背景画像のデータのうち副配置図領域として指定された部分が流用されて新規に作成される二次元配置図の背景画像として使用されるようになっている。
【０１１２】
本実施形態における二次元配置図作成編集画面における副配置図領域設定モードの処理の手順は図７で示されたものと同一である。本実施例ではステップＳ７１２において新規の二次元配置図を作成する際に、図９に示されるように副配置図領域として指定された部分の背景画像がそのまま流用されて作成される。
【０１１３】
本実施例によれば、「全体」の二次元配置図と「部分」の二次元配置図を作成するにあたって、副配置図領域の名称を設定することで無駄な新規二次元配置図が作成されることを防ぐことができる上、新規に「部分」の二次元配置図が作成される場合には、その背景画像が「全体」の二次元配置図から複製されて設定されるため、「全体」と「部分」の関係が容易に理解できるような二次元配置図群を容易に作成できるようになるという利点がある。
【０１１４】
〔第７実施形態〕
次に、本発明の第７実施形態について説明を行う。本実施形態のネットワーク機器管理装置の構成は図１で提示したものと同一である。また、本管理装置の二次元配置図作成編集画面の構成例は図２で提示したものと同一である。本管理装置が内部的に使用している二次元配置図のレイヤ構造の構成例は図３で示したものと同一である。本発明で二次元配置図に副配置図領域が設定された状態を表す図の例は図４に提示したものと同一である。さらに、本実施例における二次元配置図表示画面における処理の手順の構成例は図５で示したフローチャートと同一である。
【０１１５】
本実施形態において二次元配置図作成編集画面（図２）において副配置図領域を設定したときに開かれる副配置図領域名称設定ダイアログの画面構成例は図６で示したものと同一である。
【０１１６】
本実施形態では、副配置図領域を指定した際に副配置図領域の名称を設定し、設定された名称と一致する二次元配置図がすでに存在する場合にはその二次元配置図に対してリンクが張られるように動作する。設定された名称と一致する二次元配置図が存在しない場合には、新規に二次元配置図が自動的に作成される。この新規に作成される場合には、もとの二次元配置図の背景画像のデータのうち副配置図領域として指定された部分が流用されて新規に作成される二次元配置図の背景画像として使用されるようになっており、なおかつ、副配置図領域を包含するような矩形の内部にもとの二次元配置図上でデバイスアイコンが登録配置されていた場合にそのデバイスアイコンが新規に作成される二次元配置図上にも登録配置されるようになっている。
【０１１７】
本実施形態における二次元配置図作成編集画面における副配置図領域設定モードの処理の手順は図７で示されたものと同一である。本実施例ではステップＳ７１２において新規の二次元配置図を作成する際に、図１１に示されるように副配置図領域として指定された部分の背景画像がそのまま流用されて作成された上、もとの二次元配置図の副配置図領域を包含する矩形内にデバイスアイコンが存在する場合にはそれも、新規作成された二次元配置図に登録配置されるようになっている。
【０１１８】
本実施形態によれば、「全体」の二次元配置図と「部分」の二次元配置図を作成するにあたって、副配置図領域の名称を設定することで無駄な新規二次元配置図が作成されることを防ぐことができる上、新規に「部分」の二次元配置図が作成される場合には、その背景画像が「全体」の二次元配置図から複製されて設定されるため、「全体」と「部分」の関係が容易に理解できるような二次元配置図群を容易に作成できるようになるという利点がある。
【０１１９】
〔第８実施形態〕
次に本発明の第８実施形態について説明する。本発明の第８の実施形態の管理装置の構成例は図１に掲げたものと同一である。本実施例の二次元配置図作成編集画面の構成例は図２に示したものと同一である。また本実施例が使用する二次元配置図データの構成は図３で示したものと同一である。また本実施例で用いられた二次元配置図データと副配置図領域データの例は図４に示したものと同一であるとする。本実施例における、二次元配置図表示画面の処理の手順の構成例は図５で示したフローチャートと同一である。
【０１２０】
本実施例における副配置図領域の名称を設定するためのダイアログボックスの画面構成例は図６に示したものと同様である。本実施例では、副配置図領域を指定した際に副配置図領域の名称を設定し、設定された名称と一致する二次元配置図がすでに存在する場合にはその二次元配置図に対してリンクが張られるように動作する。設定された名称と一致する二次元配置図が存在しない場合には、新規に二次元配置図が自動的に作成される。この新規に作成される場合には、その二次元配置図名称に、今設定された副配置図領域の名称がそのまま設定されたのち、デバイス一覧からその名称に合致するデバイスが選択され生成された二次元配置図上に自動的に登録配置される。また、もとの二次元配置図の背景画像のデータのうち副配置図領域として指定された部分が流用されて新規に作成される二次元配置図の背景画像として使用されるようになっている。二次元配置図名称が、既存の二次元配置図のものと一致する場合には新たな二次元配置図は生成されず、リンク先として、その名称をもった二次元配置図が設定される。
【０１２１】
本実施形態における二次元配置図作成編集画面（図２）における副配置図領域設定モードの処理の手順は図８に示したものと同一である。ステップＳ８１３において新規に二次元配置図を生成する際に、図９に示されるように、もとの副配置図領域で切り出される背景画像の部分が、新規に生成される二次元配置図の背景画像として設定される。
【０１２２】
本実施形態によれば、「全体」の二次元配置図と「部分」の二次元配置図を作成するにあたって、副配置図領域の名称を設定することで無駄な新規二次元配置図が作成されることを防ぐことができる上、新規に「部分」の二次元配置図が作成される場合には、その背景画像が「全体」の二次元配置図から複製されて設定されるため、「全体」と「部分」の関係が容易に理解できるような二次元配置図群を容易に作成できるようになるという利点がある。
【０１２３】
〔第９実施形態〕
次に、本発明の第９実施形態について説明する。本発明の第９実施形態の管理装置の構成例は図１に掲げたものと同一である。本実施例の二次元配置図作成編集画面の構成例は図２に示したものと同一である。また本実施例が使用する二次元配置図データの構成は図３で示したものと同一である。また本実施例で用いられた二次元配置図データと副配置図領域データの例は図４に示したものと同一であるとする。
【０１２４】
本実施形態における、二次元配置図表示画面の処理の手順の構成例は図５で示したフローチャートと同一である。
【０１２５】
本実施形態における副配置図領域の名称を設定するためのダイアログボックスの画面構成例は図６に示したものと同様である。
【０１２６】
本実施形態では、副配置図領域を指定した際に副配置図領域の名称を設定し、設定された名称と一致する二次元配置図がすでに存在する場合にはその二次元配置図に対してリンクが張られるように動作する。設定された名称と一致する二次元配置図が存在しない場合には、新規に二次元配置図が自動的に作成される。この新規に作成される場合には、その二次元配置図名称に、今設定された副配置図領域の名称がそのまま設定されたのち、デバイス一覧からその名称に合致するデバイスが選択され生成された二次元配置図上に自動的に登録配置される。
【０１２７】
また、もとの二次元配置図の背景画像のデータのうち副配置図領域として指定された部分が流用されて新規に作成される二次元配置図の背景画像として使用されるようになっており、さらに、副配置図領域を包含するような矩形の内部にもとの二次元配置図上でデバイスアイコンが登録配置されていた場合にそのデバイスアイコンが新規に作成される二次元配置図上にも登録配置されるようになっている。二次元配置図名称が、既存の二次元配置図のものと一致する場合には新たな二次元配置図は生成されず、リンク先として、その名称をもった二次元配置図が設定される。
【０１２８】
本実施形態における二次元配置図作成編集画面（図２）における副配置図領域設定モードの処理の手順は図８に示したものと同一である。ステップＳ８１３において新規に二次元配置図を生成する際に、図１１に示されるように副配置図領域として指定された部分の背景画像がそのまま流用されて作成された上、もとの二次元配置図の副配置図領域を包含する矩形内にデバイスアイコンが存在する場合にはそれも、新規作成された二次元配置図に登録配置されるようになっている。
【０１２９】
本実施形態によれば、「全体」の二次元配置図と「部分」の二次元配置図を作成するにあたって、副配置図領域の名称を設定することで無駄な新規二次元配置図が作成されることを防ぐことができる上、新規に「部分」の二次元配置図が作成される場合には、その背景画像が「全体」の二次元配置図から複製されて設定されるため、「全体」と「部分」の関係が容易に理解できるような二次元配置図群を容易に作成できるようになるという利点がある。
【０１３０】
〔第１０実施形態〕
次に本発明の第１０実施形態について説明する。本発明の第１０実施形態の管理装置の構成例は図１に掲げたものと同一である。本実施例の二次元配置図作成編集画面の構成例は図２に示したものと同一である。また本実施例が使用する二次元配置図データの構成は図３で示したものと同一である。また本実施例で用いられた二次元配置図データと副配置図領域データの例は図４に示したものと同一であるとする。本実施例における、二次元配置図表示画面の処理の手順の構成例は図５で示したフローチャートと同一である。
【０１３１】
図１２は、本発明の第２実施形態を示すネットワーク機器管理装置における二次元配置図作成編集画面の一例を示す図であり、図１に示したＣＰＵ１０１の制御でディスプレイ装置１０８に表示される副配置図領域を設定したときに開かれる副配置図領域名称設定ダイアログの画面に対応する。
【０１３２】
図１２において、１２０１は配置図の名称の一覧を表示する配置図名称表示リストボックスであり、１２０２は配置図名称表示リストボックス１２０１の同位置に表示されている名称の配置図に対して付与されているコメントを表示する配置図コメント表示リストボックスである。１２０３は「ＯＫ」ボタンで、上記リストボックス１２０１、１２０２から選択した配置図を指定して副配置図領域指定を実行する場合に押下される。１２０４は「キャンセル」ボタンで、選択をキャンセルして副配置図領域指定を中止する場合に押下される。
【０１３３】
図１３は、本発明に係るネットワーク機器管理装置における第４のデータ処理手順の一例を示すフローチャートであり、二次元配置図作成編集画面における副配置図領域指定処理手順に対応する。なお、Ｓ１３０１〜Ｓ１３１２は各ステップを示し、各ステップは、ＣＰＵ１０１が二次記憶装置１０６に記憶される制御プログラムをＲＡＭ１０４上にロードして実行することにより実現される。
【０１３４】
本処理は、本実施形態において「副配置図領域設定」モードボタン２０８を押下し、二次元配置図上に副配置図領域を指定する矩形を設定した後に実行されるものである。
【０１３５】
本実施形態においては、二次元配置図作成編集画面（図２）において副配置図領域を設定すると、まず副配置図領域を設定するための図１２に示すダイアログボックスがＣＰＵ１０１の制御で表示される。ここで配置図名称表示リストボックス１２０１あるいは配置図コメント表示リストボックス１２０２から目的の配置図を選択して「ＯＫ」ボタン１２０３を入力装置１１０により押下すると、今設定された副配置図領域に、今指定した二次元配置図の背景画像が複写され、同時に副配置図領域に対するリンク先として、今指定した二次元配置図が設定される。
【０１３６】
先ず、ステップＳ１３０１にて処理を開始すると、ステップＳ１３０２で副配置図領域のリンク対象配置図設定ダイアログ（図１２）を表示する。続く、ステップＳ１３０３で、ユーザが「ＯＫ」ボタン１２０３を押下していているかどうかをＣＰＵ１０１が判断して、押下していると判断した場合には、ステップＳ１３０７へ進む。押していない場合にはステップＳ１３０４へ進む。ステップＳ１３０４ではユーザが「キャンセル」ボタン１２０４を押下しているかどうかをＣＰＵ１０１が判断して、押下していると判断した場合は、ステップＳ１３０５へ進み、押下していないと判断した場合は、ステップＳ１３０３へ戻って処理を続行する。
【０１３７】
そして、ステップＳ１３０５で、副配置図領域のリンク対象配置図設定ダイアログ（図１２）をＣＰＵ１０１の制御で閉じる。続く、ステップＳ１３０６で、設定されていた副配置図領域のデータを破棄して副配置図領域設定モードを終了する。その後処理はステップＳ１３１２進み、本処理を終了する。
【０１３８】
一方、ステップＳ１３０３で、ユーザが「ＯＫ」ボタン１２０３が押下されているかどうかをＣＰＵ１０１が判断して、押下されていると判断した場合は、ステップＳ１３０７へ進み、図１２に示した副配置図領域のリンク対象配置図設定ダイアログをＣＰＵ１０１の制御で閉じる。
【０１３９】
続く、ステップＳ１３０８で、副配置図領域のリンク対象配置図設定ダイアログ（図１２）にてユーザが選択した配置図の背景画像を二次記憶装置１０６から取得する。そして、ステップＳ１３０９で、その取得した背景画像を、副配置図領域として指定された矩形の大きさに合わせてＣＰＵ１０１の制御で拡大縮小を行う。
【０１４０】
そして、ステップＳ１３１０にて拡大縮小された背景画像データを副配置図領域として指定された矩形の位置に複写し、ステップＳ１３１１で、副配置図領域のリンク先として副配置図領域のリンク対象配置図設定ダイアログ（図１２）にて指定された二次元配置図を設定して、ステップＳ１３１２へ進み、本処理を終了する。
【０１４１】
なお、ステップＳ１３０６あるいはステップＳ１３１１の処理が終了すると、ステップＳ１３１２へ進み、本処理を終了する。
【０１４２】
図１４〜図１６は、本発明に係るネットワーク機器管理装置における二次元配置図の一例を示す図である。
【０１４３】
図１５において、１５０１は配置図全体であり、１５０２、１５０３、１５０５はデバイスアイコンで、配置図１５０１上に登録配置された状態に対応する。１５０４は、本実施形態の「副配置図領域指定」モード２０８によって指定された副配置図領域の矩形である。
【０１４４】
本実施形態において、図１５の配置図を編集中に、「副配置図領域指定」モード２０８にて矩形１５０４を指定した場合、図１２の副配置図領域のリンク対象配置図設定ダイアログがＣＰＵ１０１の制御でディスプレイ装置１０８上に表示される。この状態で、図１４に示す二次元配置図を指定し、「ＯＫ」ボタン１２０３を押下した場合、図１３に示す処理がＣＰＵ１０１により実行され、図１５上の副配置図領域１５０４に図１４に示した背景画像データが複写され、図１６のような二次元配置図が作成される。
【０１４５】
図１６において、１６０１は配置図である。１６０２、１６０３、１６０５はデバイスアイコンで、副配置図領域設定処理を行う前から設定されている。１６０４は副配置図領域設定処理にて副配置図領域として指定された矩形内に、副配置図領域のリンク先として指定された二次元配置図（図１４）の背景画像を拡大縮小して複製したものである。
【０１４６】
この図１６にて作成された二次元配置図をディスプレイ装置１０８上に表示して、領域１６０４をクリックすると、図１４の二次元配置図へ表示を切り替える、という動作が実現される。
【０１４７】
このように本実施形態を用いると、すでに作成されている「部分」の二次元配置図を利用して「全体」の二次元配置図を容易に作成することができるようになる。
【０１４８】
上記実施形態によれば、ネットワーク機器の管理を行う管理装置において二次元配置図を利用した機器管理を行う場合に、通常は大きな手間のかかる二次元配置図の作成が容易になり、なおかつ、「全体」の二次元配置図と「部分」の二次元配置図の関係や内容の関連性を容易に管理することが可能となる。これによってネットワーク機器管理の手間を大幅に省くことが可能となり、管理効率の向上を実現することが可能となる。
【０１４９】
以下、図１７に示すメモリマップを参照して本発明に係る印刷装置で読み取り可能なデータ処理プログラムの構成について説明する。
【０１５０】
図１７は、本発明に係る印刷装置で読み取り可能な各種データ処理プログラムを格納する記憶媒体のメモリマップを説明する図である。
【０１５１】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５２】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５３】
本実施形態における図５，図７，図８，図１３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１５４】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１５５】
この場合、記憶媒体から読み出されたプログラムコード自体が本発明の新規な機能を実現することになり、そのプログラムコードを記憶した記憶媒体は本発明を構成することになる。
【０１５６】
従って、プログラムの機能を有していれば、オブジェクトコード、インタプリタにより実行されるプログラム、ＯＳに供給するスクリプトデータ等、プログラムの形態を問わない。
【０１５７】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１５８】
この場合、記憶媒体から読出されたプログラムコード自体が前述した実施形態の機能を実現することになり、そのプログラムコードを記憶した記憶媒体は本発明を構成することになる。
【０１５９】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１６１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６３】
本発明は上記実施形態に限定されるものではなく、本発明の趣旨に基づき種々の変形（各実施形態の有機的な組合せを含む）が可能であり、それらを本発明の範囲から排除するものではない。
【０１６４】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜２０について説明する。
【０１６５】
〔実施態様１〕
ネットワークに接続される一つあるいは複数のデバイスのアイコンと背景画像とを階層して作成される二次元配置図を記憶装置に記憶して管理するネットワーク機器管理装置であって、前記記憶装置に記憶されている二次元配置図を読み出して表示部に表示する第１の表示制御手段（図５に示すステップＳ５０２，Ｓ５０３）と、前記表示部に表示される前記二次元配置図に対する閉じた領域設定状態に基づいて新たな二次元配置図を生成する生成手段（ＣＰＵ１０１により生成される））と、を備えることを特徴とするネットワーク機器管理装置。
【０１６６】
これにより、簡単な操作負担で、既に登録されている元図となる二次元配置図から新たな二次元配置図を自在に効率よく生成できる。
【０１６７】
〔実施態様２〕
ネットワークに接続される一つあるいは複数のデバイスを管理するためのネットワーク機器管理装置であって、記憶装置に登録されている二次元配置図を読み出して表示部に表示する第１の表示制御手段（図５に示すステップＳ５０２，Ｓ５０３）と、前記表示部に表示される前記二次元配置図に対する閉じた領域設定状態と、該閉じた領域設定される配置図登録名称の入力状態（図６に示すダイアログにより入力される）とに基づいて、新たな二次元配置図を生成する生成手段とを備えることを特徴とするネットワーク機器管理装置。
【０１６８】
これにより、領域名称と領域設定という簡単な操作負担で、既に登録されている元図となる二次元配置図から新たな二次元配置図を自在に効率よく生成できる。
【０１６９】
〔実施態様３〕
前記生成手段により生成される新たな二次元配置図を前記記憶装置に前記配置図に入力される領域名称で前記記憶装置に登録する登録手段（ＣＰＵ１０１による図７に示すステップＳ７１２で作成された二次元配置図を二次記憶装置１０６に登録する）を備えることを特徴とする実施態様１記載のネットワーク機器管理装置。
【０１７０】
これにより、作図操作で入力される領域名称を利用して、登録された新たな二次元配置図と元図となる二次元配置図とを対応付けて登録することができる。
【０１７１】
〔実施態様４〕
前記登録手段は、新たな二次元配置図を前記記憶装置に登録する場合、編集元の二次元配置図に新たな二次元配置図へ表示を切り替えるためのリンク情報を付与する（図７に示すステップＳ７１４、Ｓ７１５）ことを特徴とする実施態様１記載のネットワーク機器管理装置。
【０１７２】
これにより、作図操作で入力される領域名称を利用して、登録された新たな二次元配置図と元図となる二次元配置図とのリンク関係を明確に検索可能とする。
【０１７３】
〔実施態様５〕
前記第１の表示制御手段は、前記二次元配置図に対する領域指示がなれた場合に、前記リンク情報を参照して、配置図の表示内容を切り替え制御する（図５に示すステップＳ５１１等）ことを特徴とする実施態様１記載のネットワーク機器管理装置。
【０１７４】
これにより、二次元配置図上で閉じた領域が設定されていると、該領域に対する指示から、類似性の高いデバイスが配置登録されている他の二次元配置図を表示したり、さらに、編集を加えて、新たな二次元配置図を自在に作成したりすることができる。
【０１７５】
〔実施態様６〕
前記登録手段は、入力される領域名称が既登録の領域名称であるか否かに基づいて、新たなリンク情報の生成または既登録の領域名称に対応する二次元配置図へのリンク情報の付与を行うことを特徴とする実施態様１記載のネットワーク機器管理装置。
【０１７６】
これにより、リンク情報を付与する作業を自動化されて、作成される二次元配置図に対するリンク情報付与負担を大幅に軽減することができる。
【０１７７】
〔実施態様７〕
前記表示部に表示される二次元配置図に描画される背景画像を切り出す領域を設定する領域設定手段（図１３に示すと、前記領域設定手段により設定される領域に対応する背景画像を切り出し、他の二次元配置図に貼り付ける第２の表示制御手段（図１３に示すＳ１３０８〜Ｓ１３１０）とを有し、前記生成手段は、前記第２の表示制御手段による背景画像の貼り付けに基づいて、新たな二次元配置図を生成することを特徴とする実施態様１または２記載のネットワーク機器管理装置。
【０１７８】
これにより、既に作成されている二次元配置図の背景画像を利用した新たな二次元配置図を自在に生成することができる。
【０１７９】
〔実施態様８〕
自身が管理しているデバイスを、そのデバイスに保持されている設置場所情報とともに記憶するデバイスリスト記憶手段（図１１に示す二次記憶装置１０６）と、設定される領域名称と同一の名称が設置場所情報に含まれているデバイスを、前記デバイスリスト記憶手段から検索して、そのデバイスの種別に対応するデバイスアイコンを選択し前記新たな二次元配置図に配置する第３の表示制御手段（図８に示すＳ８１３〜Ｓ８２１）とを備えることを特徴とする実施態様１または２記載のネットワーク機器管理装置。
【０１８０】
これにより、領域名称と同一の文字列が付与されているデバイスアイコンを検索して、作成中の二次元配置図にデバイスアイコンを自動的に配置登録することができる。
【０１８１】
〔実施態様９〕
前記領域設定手段は、前記表示部に表示される二次元配置図に描画される背景画像を切り出す領域を矩形単位に設定することを特徴とする実施態様７記載のネットワーク機器管理装置。
【０１８２】
これにより、背景画像の輪郭が自由曲線となるような場合でも、それらを包含する矩形領域で背景画像の切り抜きと貼り付け操作を自在に行うことができ、背景画像の形状に左右されることなく、意図する背景画像を利用した新たな二次元配置図を自在に作成編集することができる。る。
【０１８３】
〔実施態様１０〕
ネットワークに接続される一つあるいは複数のデバイスのアイコンと背景画像とを階層して作成される二次元配置図を記憶装置に記憶して管理するネットワーク機器管理装置におけるネットワーク機器配置図作成方法であって、前記記憶装置に記憶されている二次元配置図を読み出して表示部に表示する第１の表示制御ステップ（図５に示すステップＳ５０２，Ｓ５０３）と、前記表示部に表示される前記二次元配置図に対する閉じた領域設定状態に基づいて新たな二次元配置図を生成する生成ステップと、を備えることを特徴とするネットワーク機器配置図作成方法。
【０１８４】
これにより、実施態様１と同様の効果が期待できる。
【０１８５】
〔実施態様１１〕
ネットワークに接続される一つあるいは複数のデバイスを管理するためのネットワーク機器管理装置におけるネットワーク機器配置図作成方法であって、記憶装置に登録されている二次元配置図を読み出して表示部に表示する第１の表示制御ステップ（図５に示すステップＳ５０２，Ｓ５０３）と、前記表示部に表示される前記二次元配置図に対する閉じた領域設定状態と、該閉じた領域設定される配置図登録名称の入力状態（図８に示すステップＳ８０２）とに基づいて、新たな二次元配置図を生成する生成ステップと、
を備えることを特徴とするネットワーク機器配置図作成方法。
【０１８６】
これにより、実施態様２と同様の効果が期待できる。
【０１８７】
〔実施態様１２〕
前記生成ステップにより生成される新たな二次元配置図を前記記憶装置に前記配置図に入力される領域名称で前記記憶装置に登録する登録ステップを備えることを特徴とする実施態様１０記載のネットワーク機器配置図作成方法。
【０１８８】
これにより、実施態様３と同様の効果が期待できる。
【０１８９】
〔実施態様１３〕
前記登録ステップは、新たな二次元配置図を前記記憶装置に登録する場合、編集元の二次元配置図に新たな二次元配置図へ表示を切り替えるためのリンク情報を付与する（図８に示すステップＳ８１２等）ことを特徴とする実施態様１０記載のネットワーク機器配置図作成方法。
【０１９０】
これにより、実施態様４と同様の効果が期待できる。
【０１９１】
〔実施態様１４〕
前記第１の表示制御ステップは、前記二次元配置図に対する領域指示がなれた場合に、前記リンク情報を参照して、配置図の表示内容を切り替え制御する（図５に示すステップＳ５１１）ことを特徴とする実施態様１０記載のネットワーク機器配置図作成方法。
【０１９２】
これにより、実施態様５と同様の効果が期待できる。
【０１９３】
〔実施態様１５〕
前記登録ステップは、入力される領域名称が既登録の領域名称であるか否かに基づいて、新たなリンク情報の生成または既登録の領域名称に対応する二次元配置図へのリンク情報の付与を行うことを特徴とする実施態様１０記載のネットワーク機器配置図作成方法。
【０１９４】
これにより、実施態様６と同様の効果が期待できる。
【０１９５】
〔実施態様１６〕
前記表示部に表示される二次元配置図に描画される背景画像を切り出す領域を設定する領域設定ステップ（図１３に示すステップＳ１３０９）と、前記領域設定ステップにより設定される領域に対応する背景画像を切り出し、他の二次元配置図に貼り付ける第２の表示制御ステップ（図１３に示すステップＳ１３０９）とを有し、前記生成ステップは、前記第２の表示制御手段による背景画像の貼り付けに基づいて、新たな二次元配置図を生成することを特徴とする実施態様１０または１１記載のネットワーク機器配置図作成方法。
【０１９６】
これにより、実施態様７と同様の効果が期待できる。
【０１９７】
〔実施態様１７〕
自身が管理するデバイスを、そのデバイスに保持されている設置場所情報とともにデバイスリスト記憶手段に登録する登録ステップ（図８に示すステップＳ８２１）と、設定される領域名称と同一の名称が設置場所情報に含まれているデバイスを、前記デバイスリスト記憶手段から検索して、そのデバイスの種別に対応するデバイスアイコンを選択し前記新たな二次元配置図に配置する第３の表示制御ステップ（図８に示すステップＳ８１８）とを備えることを特徴とする実施態様１０または１１記載のネットワーク機器配置図作成方法。
【０１９８】
これにより、実施態様８と同様の効果が期待できる。
【０１９９】
〔実施態様１８〕
前記領域設定ステップは、前記表示部に表示される二次元配置図に描画される背景画像を切り出す領域を矩形単位（図１３に示すステップＳ１３０８）に設定することを特徴とする実施態様１６記載のネットワーク機器配置図作成方法。
【０２００】
これにより、実施態様９と同様の効果が期待できる。
【０２０１】
〔実施態様１９〕
実施態様１０〜１８のいずれかに記載のネットワーク機器配置図作成方法をコンピュータに実行させるためのプログラムを格納したことを特徴とするコンピュータが読み取り可能な記憶媒体。
【０２０２】
これにより、実施態様１０〜１８と同様の効果が期待できる。
【０２０３】
〔実施態様２０〕
実施態様１０〜１８のいずれかに記載のネットワーク機器配置図作成方法をコンピュータに実行させることを特徴とするプログラム。
【０２０４】
これにより、実施態様１０〜１８と同様の効果が期待できる。
【図面の簡単な説明】
【０２０５】
【図１】本発明の第１実施形態を示すネットワーク機器管理装置の構成を説明するブロック図である。
【図２】図１に示したディスプレイ装置に表示される二次元配置図作成編集画面の一例を示す図である。
【図３】本発明に係るネットワーク機器管理装置において内部的に保持している二次元配置図データのレイヤ構造の例を説明する図である。
【図４】本発明に係るネットワーク機器管理装置における領域設定処理状態を説明する図である。
【図５】本発明に係るネットワーク機器管理装置における第１のデータ処理手順の一例を示すフローチャートである。
【図６】本発明の第２実施形態を示すネットワーク機器管理装置における二次元配置図作成編集画面の一例を示す図である。
【図７】本発明に係るネットワーク機器管理装置における第２のデータ処理手順の一例を示すフローチャートである。
【図８】本発明に係るネットワーク機器管理装置における第３のデータ処理手順の一例を示すフローチャートである。
【図９】本発明の第４実施形態を示すネットワーク機器管理装置における二次元配置図作成編集画面の一例を示す図である。
【図１０】本発明の第５実施形態を示すネットワーク機器管理装置における二次元配置図作成編集画面の一例を示す図である。
【図１１】本発明の第５実施形態を示すネットワーク機器管理装置における二次元配置図作成編集画面の一例を示す図である。
【図１２】本発明の第２実施形態を示すネットワーク機器管理装置における二次元配置図作成編集画面の一例を示す図である。
【図１３】本発明に係るネットワーク機器管理装置における第４のデータ処理手順の一例を示すフローチャートである。
【図１４】本発明に係るネットワーク機器管理装置における二次元配置図の一例を示す図である。
【図１５】本発明に係るネットワーク機器管理装置における二次元配置図の一例を示す図である。
【図１６】本発明に係るネットワーク機器管理装置における二次元配置図の一例を示す図である。
【図１７】本発明に係るネットワーク機器管理装置で読み取り可能な各種データ処理プログラムを格納する記憶媒体のメモリマップを説明する図である。
【符号の説明】
【０２０６】
１０１  ＣＰＵ
１０２  システムバス
１０３  ＲＯＭ
１０４  ＲＡＭ
１０５  二次記憶装置インタフェース
１０６  二次記憶装置
１０７  ディスプレイインタフェース
１０８  ディスプレイ装置
１０９  入力装置インタフェース
１１０  入力装置
１１１  ネットワークインタフェース
【図１】
2006259798.tif 000003
【図２】
2006259798.tif 000004
【図３】
2006259798.tif 000005
【図４】
2006259798.tif 000006
【図５】
2006259798.tif 000007
【図６】
2006259798.tif 000008
【図７】
2006259798.tif 000009
【図８】
2006259798.tif 000010
【図９】
2006259798.tif 000011
【図１０】
2006259798.tif 000012
【図１１】
2006259798.tif 000013
【図１２】
2006259798.tif 000014
【図１３】
2006259798.tif 000015
【図１４】
2006259798.tif 000016
【図１５】
2006259798.tif 000017
【図１６】
2006259798.tif 000018
【図１７】
2006259798.tif 000019